(57)【要約】  【課題】被写体を撮影した時やカラーリバーサルフィルムの透過画像を観察した時の被写体画像の見えの印象を写真プリントやモニタ表示画像上に再現し、各シーンに適切な画像を再現する。  【解決手段】被写体画像とその再現画像との見えの一致のための見えの変換処理を、被写体画像もしくはその被写体を照明する第１の観察条件から求められる順応輝度より高い順応輝度の場合の色度値をもとに被写体画像の測色値を変換するコントラスト変換および彩度変換の少なくとも一方と、得られた変換済測色値を第１の観察条件および再現画像の第２の観察条件を用いて補正する色順応補正およびコントラスト補正と、補正された測色値のフレア補正とで構成し、これらの変換および補正の少なくとも１つの処理は、変換強度の異なる複数の変換過程を備え、被写体画像に応じて１つの変換過程を選択し、選択された変換過程を用いて見えの変換処理を行うことにより、上記課題を解決する。【選択図】図１
2006080907.tif 000002
【特許請求の範囲】
【請求項１】
被写体画像の第１のデジタル画像データを取得し、
前記被写体画像もしくはその被写体を照明する第１の照明光源の色度情報および照度情報を取得し、
前記被写体画像の再現画像を観察する際の第２の照明光源の色度情報および照度情報を取得し、
前記第１および前記第２の照明光源の色度情報および照度情報を用いて、前記被写体画像が再現された前記再現画像の見えと、前記被写体画像との見えとを一致させるための見えの変換処理を、前記第１のデジタル画像データに施す画像処理方法であって、
前記見えの変換処理は、
前記第１の照明光源の色度情報および照度情報から求められる順応輝度より高い順応輝度に設定した場合の色度値をもとに、前記第１のデジタル画像データから得られた前記被写体画像の測色値に対して行って前記被写体画像の変換済測色値を得るコントラスト変換および彩度変換の少なくとも一方と、
前記第１および第２の照明光源の色度情報および照度情報から前記被写体画像の変換済測色値に対して行う色順応補正と、
前記第１および第２の照明光源の照度情報から前記被写体画像の変換済測色値に対して行うコントラスト補正と、
前記被写体画像を前記再現画像として出力する際のフレア量から前記色順応補正処理および前記コントラスト補正処理が行われた前記被写体画像の測色値を補正して前記再現画像の出力すべき測色値を得るフレア補正とを備え、
前記コントラスト変換、前記彩度変換、前記色順応補正、前記コントラスト補正およびフレア補正の少なくとも１つの処理は、１種の変換過程に対して、変換強度の異なる複数の変換過程を備えており、
前記被写体画像の前記第１のデジタル画像データに応じて前記複数の変換過程の中から１つの変換過程を選択し、
選択された前記１つの変換過程を用いて、前記少なくとも１つの処理を行うことにより、前記見えの変換処理を行い、前記再現画像の前記出力すべき測色値から前記再現画像の第２のデジタル画像データを得ることを特徴とする画像処理方法。
【請求項２】
前記変換過程は、色変換テーブルを用いて行われる請求項１に記載の画像処理方法。
【請求項３】
前記見えの変換処理の全ての処理は、１つの変換処理として行われ、１つの変換処理に対する前記１種の変換過程として１種の色変換テーブルが設定され、前記１種の変換過程に対する前記変換強度の異なる複数の変換過程として、前記１種の色変換テーブルに対して、強調パラメータが異なる複数の色変換テーブルが設定される請求項１または２に記載の画像処理方法。
【請求項４】
前記強調パラメータは、前記第１の照明光源の下での輝度に対する輝度比および彩度である請求項３に記載の画像処理方法。
【請求項５】
前記被写体画像は、前記被写体を撮影して得られたものであり、
前記第１のデジタル画像データは、前記被写体を撮影したカラーネガフィルムから光電的に読み取られた画像データまたは、前記被写体を撮影して直接光電的に取得された画像データであり、
第１の照明光源は、前記被写体を撮影する時に前記被写体を照明する光源である請求項１〜４のいずれかに記載の画像処理方法。
【請求項６】
前記被写体画像は、観察される透過画像であり、
前記第１のデジタル画像データは、前記透過画像の画像データであり、
第１の照明光源は、前記透過画像を観察する時に前記透過画像を照明する光源である請求項１〜４のいずれかに記載の画像処理方法。
【請求項７】
前記透過画像は、観察されるカラーリバーサルフィルムの透過画像であり、
前記透過画像の画像データは、前記カラーリバーサルフィルムから光電的に読み取られた画像データである請求項６に記載の画像処理方法。
【請求項８】
前記再現画像は、前記被写体画像が再現された、観察される反射画像であり、
前記第２のデジタル画像データは、前記反射画像を出力するための画像データであり、
第２の照明光源は、前記反射画像を観察する時に前記反射画像を照明する光源である請求項１〜７のいずれかに記載の画像処理方法。
【請求項９】
前記反射画像は、写真プリント画像である請求項８に記載の画像処理方法。
【請求項１０】
前記複数の変換過程は、前記被写体画像の画像特徴量によって設定される請求項１〜９のいずれかに記載の画像処理方法。
【請求項１１】
前記１つの変換過程の選択は、前記複数の変換過程の中から、前記被写体画像の前記第１のデジタル画像データから求められる前記被写体画像の画像特徴量によって行われる請求項１〜１０のいずれかに記載の画像処理方法。
【請求項１２】
前記被写体画像の画像特徴量は、前記被写体画像の明度および彩度を含む１つ以上の属性値に基づいて求められる請求項１０または１１に記載の画像処理方法。
【請求項１３】
前記第１の照明光源の色度情報および照度情報から求められる順応輝度より高い順応輝度に設定した場合の色度値は、前記光源に完全にまたはほぼ順応したと仮定した場合の色度値である請求項１〜１２のいずれかに記載の画像処理方法。
【請求項１４】
前記測色値は、三刺激値である請求項１〜１３のいずれかに記載の画像処理方法。
【請求項１５】
被写体画像の第１のデジタル画像データを取得する第１の取得手段と、
前記被写体画像もしくはその被写体を照明する第１の照明光源の色度情報および照度情報を取得する第２の取得手段と、
前記再現画像を観察する際の第２の照明光源の色度情報および照度情報を取得する第３の取得手段と、
前記第１および前記第２の照明光源の色度情報および照度情報を用いて、前記被写体画像が再現された再現画像の見えと、前記被写体画像との見えを一致させるための見えの変換処理を、前記第１のデジタル画像データに施す見えの変換処理手段とを有する画像処理装置であって、
前記見えの変換処理手段は、前記見えの変換処理として、
前記第１の照明光源の色度情報および照度情報から求められる順応輝度より高い順応輝度に設定した場合の色度値をもとに、前記第１のデジタル画像データから得られた前記被写体画像の測色値に対して行って前記被写体画像の変換済測色値を得るコントラスト変換および彩度変換の少なくとも一方と、
前記第１および第２の照明光源の色度情報および照度情報から前記被写体画像の変換済測色値に対して行う色順応補正と、
前記第１および第２の照明光源の照度情報から前記被写体画像の変換済測色値に対して行うコントラスト補正と、
前記被写体画像を前記再現画像として出力する際のフレア量から前記色順応補正処理および前記コントラスト補正処理が行われた前記被写体画像の測色値を補正して前記再現画像の出力すべき測色値を得るフレア補正とを行うものであり、
前記見えの変換処理手段は、
前記コントラスト変換、前記彩度変換、前記色順応補正、前記コントラスト補正およびフレア補正の少なくとも１つの処理を行うための１種の色変換テーブルに対し、変換強度の異なる複数の色変換テーブルを備える格納手段と、
前記被写体画像の前記第１のデジタル画像データに応じて、前記複数の色変換テーブルの中から１つの色変換テーブルを選択する選択手段とを有し、
選択された前記１つの色変換テーブルを用いて、前記少なくとも１つの処理を行うことにより、前記見えの変換処理を行い、前記再現画像の前記出力すべき測色値から前記再現画像の第２のデジタル画像データを得ることを特徴とする画像処理装置。
【請求項１６】
前記見えの変換処理手段は、前記見えの変換処理の全ての処理を、１つの変換処理として行い、１つの変換処理に対して前記１種の色変換テーブルが設定され、この１種の色変換テーブルに対する前記変換強度の異なる複数の色変換テーブルとして、強調パラメータが異なる複数の色変換テーブルが設定される請求項１５に記載の画像処理方法。
【請求項１７】
前記強調パラメータは、前記第１の照明光源の下での輝度に対する輝度比および彩度である請求項１６に記載の画像処理方法。
【請求項１８】
前記複数の色変換テーブルは、前記被写体画像の画像特徴量によって設定される請求項１５〜１７のいずれかに記載の画像処理装置。
【請求項１９】
前記選択手段は、前記複数の色変換テーブルの中から、前記被写体画像の前記第１のデジタル画像データから求められる前記被写体画像の画像特徴量によって前記１つの色変換テーブルを選択する請求項１５〜１８のいずれかに記載の画像処理装置。
【請求項２０】
前記被写体画像の画像特徴量は、前記被写体画像の明度および彩度を含む１つ以上の属性値に基づいて求められる請求項１８または１９に記載の画像処理装置。
【請求項２１】
請求項１５〜２０のいずれかに記載の画像処理装置と、
この画像処理装置で前記見えの変換処理を行った前記再現画像の第２のデジタル画像データに基づいて写真プリント画像を出力する画像出力手段とを有することを特徴とする画像形成装置。
【請求項２２】
請求項１〜１４のいずれかに記載の画像処理方法をコンピュータ制御により実行させるための画像処理プログラム。
【請求項２３】
請求項２２に記載の画像処理プログラムを記録したコンピュータにより読み取り可能な記録媒体。
【発明の詳細な説明】
【技術分野】
【０００１】
本発明は、被写体を撮影して直接もしくはカラーネガフィルムなどから得られた被写体画像や表示されたカラーリバーサルフィルムの透過画像などの被写体画像をカラー写真プリント（以下、単に、プリントともいう）上にハードコピー画像（反射画像、プリント画像）として、および／または表示画面（モニタ）上にソフトコピー画像（モニタ表示画像）として再現する画像処理方法および装置、これを用いる画像形成装置ならびに画像処理方法を実行する画像処理プログラムおよびこれを記録した記録媒体に関し、より具体的には、上記被写体画像をプリントやモニタ等の表示媒体に再現画像として出力するために、上記被写体画像の見え（アピアランス）を忠実に再現する色変換を行うこと、さらにこれに加えて、様々な被写体、シーンに共通した好ましい色再現となる値（明るさ、彩度）への色変換を行うことを可能とする、すなわち、カラープリントやモニタ画像等の再現画像作成のための色変換方法を実施する画像処理方法および装置、これを用いる画像形成装置ならびに画像処理方法を実行する画像処理プログラムおよびこれを記録した記録媒体に関する。
【０００２】
なお、本明細書中において、被写体とは、デジタルカメラやカラーネガフィルムやカラーリバーサルフィルムに撮影された撮影シーン中に存在する撮影対象を全て含めたもの（すなわち、人物等の主要被写体のみに限定せず、背景等を含めたシーン全体）を指し、また、画像の見えとは、多数の観察者の主観に基づく評価ともいうべきものであって、実際の観察条件下における被写体画像の見え方に対する多数の観察者の評価指標である。
【背景技術】
【０００３】
写真技術の分野においては、被写体（撮影シーン）を、プリント上に如何に再現すべきであるかという問題が、古くから議論されている。この問題については、被写体の内容や撮影状況、あるいは地域や文化などによっても考え方が異なるという事情もあり、画一的な回答は得にくいが、写真の基本的な考え方としては、人間（観察者）が被写体を見たときの印象に近い再現をすることが好ましいといえる。
【０００４】
例えば、特許文献１には、このような観点から、カラーネガフィルムで撮影された画像をデジタル化して、デジタル信号処理によって被写体の測色情報を求め、この測色値をプリント上に再現するという方法が開示されている。この特許文献１では、このように、得られた測色値をそのままプリント上に再現することで、被写体の測色値を忠実に再現することが可能となるとしている。
【０００５】
一方、カラーリバーサルフィルムの透過画像は、プロジェクタやビュアーなどからの高い輝度の光によって輝いた鮮やかな色を表現でき、また、微妙な色や豊富な色を表現できるものであり、主として、プロジェクタやビュアーなどにおいて観察されるものである。
なお、カラーリバーサルフィルムの透過画像も、カラーネガフィルムの撮影画像と同様に、写真プリント（反射画像、ハードコピー画像）として再現され、観察されることも行われている。
上述したように、カラーリバーサルフィルムは、カラーネガフィルムに比べて、輝いた鮮やかな色や微妙な色など、色を豊富に表現できるので、カラーリバーサルフィルムから作製されたプリントは、プロ写真家や写真熟練者（ハイアマチュア）などには用いられているが、一般のユーザには、カラーネガフィルムから作製されたプリントに比べて、利用が少ないのが現状である。
【０００６】
このため、カラーネガフィルムに加え、カラーリバーサルフィルムに撮影された画像をデジタル処理して出力することができるデジタルフォトプリンタもあるが、カラーリバーサルフィルムからのプリントでは、微妙な色や豊富な色の再現が求められており、カラーリバーサルフィルムから直接焼き付ける光学プリント（アナログプリント）が絶対的な存在であったために、光学プリントを超えるようなプリントの開発が行われていなかったのが現状である。このため、デジタルフォトプリンタにおいては、カラーリバーサルフィルムの透過画像独自の色再現について、十分に考慮されているとは言えず、カラーリバーサルフィルムの透過画像からのプリントの仕上がりは、もっぱら、プリント感光材料の性能に左右されているのが現状である。
また、近年、カラーリバーサルフィルムの高彩度化に伴い、光学プリントにおいても、高彩度の色再現が求められるようになってきている。
【特許文献１】特開平６−１３９３２３号公報
【発明の開示】
【発明が解決しようとする課題】
【０００７】
ところで、特許文献１に記載の方法のようにして作成されたプリントをオリジナルの撮影シーン（すなわち、被写体）と比較してみると、実際には撮影シーンの見えを再現していない場合があるのと同様に、カラーリバーサルフィルムの場合にも、作成されたプリントが、観察される透過画像の見えを再現していない場合があるという問題があった。
【０００８】
また、ユーザは、カラーリバーサルフィルムの透過画像をプロジェクタやビュアーなどにおいて観察した後、透過画像を再現した写真プリントを作製している。すなわち、カラーリバーサルフィルムからプリントを作製する場合、ユーザは、カラーリバーサルフィルムに被写体を撮影した時の被写体画像の見えよりも、プロジェクタやビュアーなどにおいて観察しているカラーリバーサルフィルムの透過画像の見えが、プリントに再現されていることを期待することが多い。
しかしながら、現在市場で販売されているカラーリバーサルフィルムの透過画像を基に作製する写真プリントは、観察される透過画像のオリジナルの持つ階調や、色再現の特徴“輝く美しさ”を忠実に再現しているとは言い難く、透過画像のオリジナルの美しさのプリント上での再現を期待するユーザを十分に満足させることはできていないという問題があった。すなわち、カラーリバーサルフィルムの透過画像を基に作製するプリントは、人間（観察者）が透過画像を見たときの印象に近い再現をするという画像処理方法で作製されているとは言いがたく、プリント感光材料の性能に左右されるものであるという問題があった。
【０００９】
このため、ラボショップなどの写真プリント作製の現場においては、ビュアー等において観察されるカラーリバーサルフィルムの透過画像とプリントとの見えの一致を図るために、オペレータは、カラーリバーサルフィルムの画像からデジタルフォトプリンタ等のスキャナで読み取ったデジタル画像データを、プリンタ出力とその色のマッチングをとったディスプレイ等に表示するとともに、ビュアーに表示されたカラーリバーサルフィルムの透過画像を観察して、出力用ハードコピープリンタと色調整されたディスプレイの表示画像と透過画像との見えが一致するように、デジタル画像データをマニュアル調整しているが、調整は極めて難しいばかりか、極めて面倒であり、特に、不慣れなオペレータでは、調整結果が必ずしも、芳しいものにならないという問題があった。
【００１０】
本発明の目的は、上記従来技術の問題点を解消し、被写体を撮影した時の被写体画像の見え（アピアランス）の印象やカラーリバーサルフィルムの透過画像などの被写体画像を観察した時の見えの印象を写真プリントやモニタ表示画像上に再現することができ、さらにこれに加え、被写体画像の見えの再現画像に対して、様々な被写体や、シーンに共通する明るさ・コントラスト・彩度強調の最適値を求め、それぞれの被写体やシーンに適切な画像再現を行い、被写体やシーンに最適な画像を再現することができ、しかも、これらの色変換処理を自動化することができる画像処理方法および装置、これを用いる画像形成装置ならびに画像処理方法を実行する画像処理プログラムおよびこれを記録した記録媒体を提供することにある。
【課題を解決するための手段】
【００１１】
本発明者らは、上記目的を達成するために、鋭意研究を重ねた結果、カラーネガフィルムの場合に、特許文献１に記載の方法のようにして作成されたプリントをオリジナルの撮影シーン（すなわち、被写体）と比較してみると、実際には撮影シーンの見えを再現していない場合があるのと同様に、カラーリバーサルフィルムの場合にも、作成されたプリントが、観察される透過画像の見えを再現していないことがわかった。このような見えの不一致がどのような状況下で起きるかを調査したところ、以下の３種の場合に見えが一致しないという現象が起きることが分かった。
【００１２】
すなわち、
１．シーン（被写体や観察される透過画像）の絶対的な明るさとプリントを観察する際の絶対的明るさに差がある場合、
２．シーンの照明色とプリント観察時の照明色とが異なる場合、
３．プリント観察環境に依存した観察フレアが存在する場合
が挙げられる。
【００１３】
特許文献１に記載の従来のカラーネガフィルムにおける測色値を再現する手法では、上述の要因が考慮されていなかったことから、たとえ、カラーネガフィルムから推定される測色値を正確にプリント上に再現できていたとしても、シーンの見えを再現できていないことがあったといえることを知見し、ましてや、カラーリバーサルフィルムの透過画像では、観察される透過画像の見えを再現できていないことを知見し、本発明に至ったものである。
【００１４】
すなわち、本発明の第１の態様は、被写体画像の第１のデジタル画像データを取得し、前記被写体画像もしくはその被写体を照明する第１の照明光源の色度情報および照度情報を取得し、前記被写体画像の再現画像を観察する際の第２の照明光源の色度情報および照度情報を取得し、前記第１および前記第２の照明光源の色度情報および照度情報を用いて、前記被写体画像が再現された前記再現画像の見えと、前記被写体画像との見えとを一致させるための見えの変換処理を、前記第１のデジタル画像データに施す画像処理方法であって、前記見えの変換処理は、前記第１の照明光源の色度情報および照度情報から求められる順応輝度より高い順応輝度に設定した場合の色度値をもとに、前記第１のデジタル画像データから得られた前記被写体画像の測色値に対して行って前記被写体画像の変換済測色値を得るコントラスト変換および彩度変換の少なくとも一方と、前記第１および第２の照明光源の色度情報および照度情報から前記被写体画像の変換済測色値に対して行う色順応補正と、前記第１および第２の照明光源の照度情報から前記被写体画像の変換済測色値に対して行うコントラスト補正と、前記被写体画像を前記再現画像として出力する際のフレア量から前記色順応補正処理および前記コントラスト補正処理が行われた前記被写体画像の測色値を補正して前記再現画像の出力すべき測色値を得るフレア補正とを備え、前記コントラスト変換、前記彩度変換、前記色順応補正、前記コントラスト補正およびフレア補正の少なくとも１つの処理は、１種の変換過程に対して、変換強度の異なる複数の変換過程を備えており、前記被写体画像の前記第１のデジタル画像データに応じて前記複数の変換過程の中から１つの変換過程を選択し、選択された前記１つの変換過程を用いて、前記少なくとも１つの処理を行うことにより、前記見えの変換処理を行い、前記再現画像の前記出力すべき測色値から前記再現画像の第２のデジタル画像データを得ることを特徴とする画像処理方法を提供するものである。
【００１５】
ここで、前記変換過程は、色変換テーブルを用いて行われるのが好ましい。
また、前記見えの変換処理の全ての処理は、１つの変換処理として行われ、１つの変換処理に対する前記１種の変換過程として１種の色変換テーブルが設定され、前記１種の変換過程に対する前記変換強度の異なる複数の変換過程として、前記１種の色変換テーブルに対して、強調パラメータが異なる複数の色変換テーブルが設定されるのが好ましい。
また、前記強調パラメータは、前記第１の照明光源の下での輝度に対する輝度比および彩度であるのが好ましい。
【００１６】
また、前記被写体画像は、前記被写体を撮影して得られたものであり、前記第１のデジタル画像データは、前記被写体を撮影したカラーネガフィルムから光電的に読み取られた画像データまたは、前記被写体を撮影して直接光電的に取得された画像データであり、第１の照明光源は、前記被写体を撮影する時に前記被写体を照明する光源であるのが好ましい。
あるいは、前記被写体画像は、観察される透過画像であり、前記第１のデジタル画像データは、前記透過画像の画像データであり、第１の照明光源は、前記透過画像を観察する時に前記透過画像を照明する光源であるのが好ましい。
また、前記透過画像は、観察されるカラーリバーサルフィルムの透過画像であり、前記透過画像の画像データは、前記カラーリバーサルフィルムから光電的に読み取られた画像データであるのが好ましい。
【００１７】
前記再現画像は、前記被写体画像が再現された、観察される反射画像であり、前記第２のデジタル画像データは、前記反射画像を出力するための画像データであり、第２の照明光源は、前記反射画像を観察する時に前記反射画像を照明する光源であるのが好ましい。
また、前記反射画像は、写真プリント画像であるのが好ましい。
【００１８】
また、前記複数の変換過程は、前記被写体画像の画像特徴量によって設定されるのが好ましい。
また、前記１つの変換過程の選択は、前記複数の変換過程の中から、前記被写体画像の前記第１のデジタル画像データから求められる前記被写体画像の画像特徴量によって行われるのが好ましい。
また、前記被写体画像の画像特徴量は、前記被写体画像の明度および彩度を含む１つ以上の属性値に基づいて求められるのが好ましい。
【００１９】
また、前記第１の照明光源の色度情報および照度情報から求められる順応輝度より高い順応輝度に設定した場合の色度値は、前記光源に完全にまたはほぼ順応したと仮定した場合の色度値であるのが好ましい。
また、前記測色値は、三刺激値であるのが好ましい。
【００２０】
また、上記目的を達成するために、本発明の第２の態様は、被写体画像の第１のデジタル画像データを取得する第１の取得手段と、前記被写体画像もしくはその被写体を照明する第１の照明光源の色度情報および照度情報を取得する第２の取得手段と、前記再現画像を観察する際の第２の照明光源の色度情報および照度情報を取得する第３の取得手段と、
前記第１および前記第２の照明光源の色度情報および照度情報を用いて、前記被写体画像が再現された再現画像の見えと、前記被写体画像との見えを一致させるための見えの変換処理を、前記第１のデジタル画像データに施す見えの変換処理手段とを有する画像処理装置であって、前記見えの変換処理手段は、前記見えの変換処理として、前記第１の照明光源の色度情報および照度情報から求められる順応輝度より高い順応輝度に設定した場合の色度値をもとに、前記第１のデジタル画像データから得られた前記被写体画像の測色値に対して行って前記被写体画像の変換済測色値を得るコントラスト変換および彩度変換の少なくとも一方と、前記第１および第２の照明光源の色度情報および照度情報から前記被写体画像の変換済測色値に対して行う色順応補正と、前記第１および第２の照明光源の照度情報から前記被写体画像の変換済測色値に対して行うコントラスト補正と、前記被写体画像を前記再現画像として出力する際のフレア量から前記色順応補正処理および前記コントラスト補正処理が行われた前記被写体画像の測色値を補正して前記再現画像の出力すべき測色値を得るフレア補正とを行うものであり、前記見えの変換処理手段は、前記コントラスト変換、前記彩度変換、前記色順応補正、前記コントラスト補正およびフレア補正の少なくとも１つの処理を行うための１種の色変換テーブルに対し、変換強度の異なる複数の色変換テーブルを備える格納手段と、前記被写体画像の前記第１のデジタル画像データに応じて、前記複数の色変換テーブルの中から１つの色変換テーブルを選択する選択手段とを有し、選択された前記１つの色変換テーブルを用いて、前記少なくとも１つの処理を行うことにより、前記見えの変換処理を行い、前記再現画像の前記出力すべき測色値から前記再現画像の第２のデジタル画像データを得ることを特徴とする画像処理装置を提供するものである。
【００２１】
ここで、前記見えの変換処理手段は、前記見えの変換処理の全ての処理を、１つの変換処理として行い、１つの変換処理に対して前記１種の色変換テーブルが設定され、この１種の色変換テーブルに対する前記変換強度の異なる複数の色変換テーブルとして、強調パラメータが異なる複数の色変換テーブルが設定されるのが好ましい。
また、前記強調パラメータは、前記第１の照明光源の下での輝度に対する輝度比および彩度であるのが好ましい。
【００２２】
また、前記複数の色変換テーブルは、前記被写体画像の画像特徴量によって設定されるのが好ましい。
また、前記選択手段は、前記複数の色変換テーブルの中から、前記被写体画像の前記第１のデジタル画像データから求められる前記被写体画像の画像特徴量によって前記１つの色変換テーブルを選択するのが好ましい。
また、前記被写体画像の画像特徴量は、前記被写体画像の明度および彩度を含む１つ以上の属性値に基づいて求められるのが好ましい。
【００２３】
また、上記目的を達成するために、本発明の第３の態様は、上記の第２の態様の画像処理装置と、この画像処理装置で前記見えの変換処理を行った前記再現画像の第２のデジタル画像データに基づいて写真プリント画像を出力する画像出力手段とを有することを特徴とする画像形成装置を提供するものである。
また、上記目的を達成するために、本発明の第４の態様は、上記の第１の態様の画像処理方法をコンピュータ制御により実行させるための画像処理プログラムを提供するものである。
また、上記目的を達成するために、本発明の第５の態様は、上記の第４の態様の画像処理プログラムを記録したコンピュータにより読み取り可能な記録媒体を提供するものである。
【発明の効果】
【００２４】
本発明によれば、撮影される被写体の見え（アピアランス）の印象や観察されるカラーリバーサルフィルムの透過画像の見えの印象を写真プリント等の再現画像に忠実に再現することに加えて、適切なまたは自然なコントラスト変換や彩度変換などを行い、様々な被写体、シーンに共通した好ましい色再現を行うことができる。
特に、本発明によれば、カラーリバーサルフィルムの場合にも、透過オリジナル画像の持つ美しく高品位なイメージを忠実に再現した写真プリント、さらには、このような忠実再現に加え、さらに好ましい色再現を行った写真プリントをユーザに提供することができる。その結果、本発明によれば、観察される透過画像のオリジナルの美しさのプリント上での再現を期待するユーザを満足させることはできる。
【００２５】
また、写真プリント等の再現画像を作成する際に、見えの変換のための色変換テーブルとしてシーンに拠らず最適であるとされる色変換テーブルを用いる場合には、構成上はシンプルにでき、あらゆるシーンに平均的に適切な画像再現が行えるが、シーンに応じた適切な画像再現が行えていない場合があるが、本発明では、さらに、見え（アピアランス）の変換のために予め用意された複数の色変換テーブルを再現対象の被写体画像の特徴をベースに切り替えて適応することにより、シーンに基づいた最適な画像を提供することができる。
さらに、本発明によれば、色変換テーブルの使用により、見えの変換を画像処理ソフトとして組込んで、自動化することで、被写体画像の印象を容易に写真プリント上やモニタ上に再現でき、特に、写真プリントを作製するラボでのプリント作業効率を大幅に向上させることができる。
【発明を実施するための最良の形態】
【００２６】
以下に、本発明に係る画像処理方法および画像処理装置、これを用いる画像形成装置ならびに画像処理方法を実行する画像処理プログラムおよびこれを記録した記録媒体を、添付の図面に示す好適実施形態に基づいて詳細に説明する。
以下においては、画像再現の対象となる被写体画像が、リバーサルフィルムに記録された透過画像であり、観察されるリバーサルフィルムの透過画像と見えが一致するように再現された再現画像が、写真プリント画像である場合を代表例として説明するが、本発明はこれに限定されず、被写体画像が、被写体を撮影したカラーネガフィルムから得られる画像、あるいは被写体をデジタルスチルカメラやデジタルビデオカメラなどのデジタルカメラによって撮影して直接得られた画像である場合であっても良いし、また、再現画像が、被写体と見えが一致するように再現された写真プリント画像などのハードコピー画像、もしくはモニタ表示画像などのソフトコピー画像であっても良い。
【００２７】
図１は、本発明の第１の態様の画像処理方法を実施する本発明の第２の態様の画像処理装置を備える本発明の第３の態様の画像形成装置の一実施形態のブロック図である。
同図に示すように、画像形成装置１０は、被写体を撮像したリバーサルフィルムに記録された透過画像（透過原稿画像）Ｆを光電的に読み取って、デジタル画像データＤ０を取得する画像入力ユニット１１と、観察されているリバーサルフィルムの透過画像Ｆの見えをそのまま忠実に再現するのみならず、さらに好ましい色再現となるように、画像入力ユニット１１で取得した画像データＤ０に見えの再現処理を含む画像変換処理を行う画像処理ユニット１２と、この画像処理ユニット１２で見えの再現変換処理を行って得た画像データに基づいてハードコピー画像（写真プリントＰ）などの目視用画像を出力する画像出力ユニット１４とを有する。
【００２８】
画像入力ユニット１１は、被写体を撮像したリバーサルフィルムに被写体画像として記録された透過画像（以下、透過被写体画像ともいう）を光電的に読み取って、ＲＧＢデータなどのデジタル画像データＤ０を取得するスキャナであり、取得された画像データＤ０は、画像処理ユニット１２に入力される。なお、画像処理ユニット１１は、取得したデジタル画像データＤ０から透過被写体画像の各点の測色値Ｄ１（ここでは、透過被写体画像の色の三刺激値（ＸＹＺ））を算出する算出手段を備えるものであっても良く、算出された測色値Ｄ１は、画像処理ユニット１２に入力される。すなわち、本発明においては、この測色値Ｄ１の算出手段は、画像入力ユニット１１としてのスキャナに内蔵されていても良いし、スキャナに外付けであっても良いし、また、画像入力ユニット１１とは、別体とされていても良いし、画像処理ユニット１２に内蔵されていても良い。
なお、画像入力ユニット１１は、カラーリバーサルフィルムＦに撮影された透過被写体画像の各点のＲＧＢデータなどのデジタル画像データＤ０、あるいは透過被写体画像の各点の測色値Ｄ１を取得できるものであればどのようなものでも良く、例えば、被写体を撮影して得られたカラーリバーサルフィルムＦの透過被写体画像をＣＣＤやＣＭＯＳセンサなど撮像素子を用いて読み取り、透過被写体画像のデジタルデータとしてＲＧＢデータ（デジタル画像データＤ０）を得るものであっても良いし、さらに、ＲＧＢデータＤ０を測色値Ｄ１、例えば透過被写体画像の色の三刺激値ＸＹＺに変換するものであっても良い。なお、本発明において用いられる測色値は、色の三刺激値（ＸＹＺ）に限定されない。
【００２９】
画像処理ユニット１２は、本発明の第１の態様の画像処理方法を実施する本発明の第２の態様の画像処理装置の一実施形態であって、観察されているリバーサルフィルムの透過画像Ｆの見えを忠実に再現できるのみならず、さらに好ましい色再現となるように、画像入力ユニット１１で取得されたデジタル画像データＤ０から算出された透過被写体画像の各点の測色値Ｄ１（透過被写体画像の色の三刺激値（ＸＹＺ））に画像変換処理を行うためのものである。
画像処理ユニット１２は、色の見えの変換式に基づく色変換を行うための複数の色変換テーブルを作成する色変換テーブル作成部１２ａと、色変換テーブル作成部１２ａで作成された複数の色変換テーブルを格納する色変換テーブル格納部１２ｂと、画像入力ユニット１１で得られたカラーリバーサルフィルムＦの透過被写体画像の測色値Ｄ１から画像特徴量を算出する画像特徴量算出部１２ｃと、画像特徴量算出部１２ｃで算出された画像特徴量に基づいて、色変換テーブル格納部１２ｂに格納された複数の色変換テーブルから、適切な色変換テーブルを選択する色変換テーブル選択部１２ｄと、色変換テーブル選択部１２ｄで選択された色変換テーブルを用いて、画像入力ユニット１１で得られた透過被写体画像の測色値Ｄ１に見えの変換処理を行い、プリンタに入力すべき画像信号（プリント出力用画像データＤ７）を得る変換処理部１２ｅとを有する。
【００３０】
色変換テーブル作成部１２ａは、図２に示すように、透過被写体画像の測色値Ｄ１を透過被写体画像の測色値Ｄ６（透過被写体画像の変換三刺激値（ＸaＹaＺa））（３次元テーブル（３ＤＬＵＴ）用パッチ画像）に変換する好ましい色再現処理ユニット３４と、好ましい色再現処理ユニット３４で処理された透過被写体画像の測色値Ｄ６が入力されて、変換画像の測色値Ｄ３（出力用画像の三刺激値（Ｘ’Ｙ’Ｚ’））（３ＤＬＵＴ用パッチ画像）に変換される見えの忠実再現処理ユニット３２と、変換画像の測色値Ｄ３に対して再現画像の観察環境に応じたフレア量を補正して、再現画像（ハードコピー画像（プリント））として出力するための被写体画像の測色値Ｄ４（再現画像の三刺激値（ＸＹＺ））（３ＤＬＵＴ用パッチ画像）または補正テーブルを求めるフレア補正部２４と、透過被写体画像の測色値Ｄ６、変換画像の測色値Ｄ３および被写体画像の測色値Ｄ４の３ＤＬＵＴ用パッチ画像）または補正テーブルを用いて、透過被写体画像の測色値Ｄ６からプリント出力用デジタル画像データ、例えば、ＲＧＢデータに変換するための３次元色変換テーブル（３ＤＬＵＴ；３次元ルックアップテーブル）を生成する３ＤＬＵＴ生成部２５とを有する。
なお、好ましい色再現処理ユニット３４では、強調パラメータ（輝度比、彩度Ｃ）を変化させることにより、複数種類の測色値Ｄ６（３ＤＬＵＴ用パッチ画像）を得ることができ、見えの忠実再現処理ユニット３２では、強調パラメータ（彩度Ｃ）を変化させることにより、複数種類の測色値Ｄ４（３ＤＬＵＴ用パッチ画像）を得ることができる。
【００３１】
ここで、本発明における処理の順序は前後するが、本発明の特徴とする好ましい色再現処理ユニット３４の説明に先立って、本発明の最も特徴とする見えの忠実再現処理ユニット３２について説明する。
図３は、忠実再現処理ユニットの一実施形態のブロック図である。同図に示す忠実再現処理ユニット３２は、観察されているリバーサルフィルムＦの透過被写体画像の見えを忠実に再現できるように画像処理を行うためのものであって、前段の好ましい色再現処理ユニット３４から送られる透過被写体画像の測色値Ｄ６（透過被写体画像の変換三刺激値（ＸaＹaＺa））を変換画像の測色値Ｄ３（出力用画像の三刺激値（Ｘ’Ｙ’Ｚ’）に変換するものである。
同図に示すように、忠実再現処理ユニット３２は、ビュアーやプロジェクタにおいて観察されているリバーサルフィルムＦの透過被写体画像を観察する透過被写体画像の観察照明条件を取得する透過画像観察条件取得ユニット１８と、透過被写体画像が再現された再現画像（反射画像）の観察照明条件を取得し、設定する再現画像観察条件取得ユニット２０と、透過画像観察条件を用いて透過被写体画像の測色値Ｄ６を順変換して色の見えの属性値（色相ｈ、明度Ｊ、彩度Ｃ）Ｄ２を得るとともに、こうして得られた見えの属性値Ｄ２を、再現画像観察条件を用いて逆変換して見えの忠実再現補正がなされた変換画像の測色値Ｄ３（出力用画像の三刺激値（Ｘ’Ｙ’Ｚ’））を得る見えの忠実再現変換ユニット２２（２２ａ，２２ｂ）とを有する。
【００３２】
透過画像観察条件取得ユニット１８は、リバーサルフィルムＦの透過被写体画像を観察する際の観察照明条件を取得するためのもので、透過被写体画像を照明している光源の照明光の三刺激値、被写体の輝度および被写体の周囲条件を取得するためのものである。本発明では特に、照明光源の照明光の色度値および絶対照度値を測定し、記録しておくためのものである。
観察条件取得ユニット２０は、予め透過被写体画像が再現された再現画像（反射プリント画像）を観察する際の観察照明条件を取得し、設定するためのもので、再現画像を照明している光源の照明光の三刺激値、被写体の輝度および被写体の周囲条件を取得するためのもので、本発明では特に、予め再現画像観察時の照明光の色度値および絶対照度値を測定し、記録しておくためのものである。
【００３３】
見えの忠実再現変換ユニット２２（２２ａ，２２ｂ）は、透過画像観察条件を用いて透過被写体画像の測色値Ｄ６（透過被写体画像の変換三刺激値（ＸaＹaＺa））を順変換して（順変換ユニット２２ａ参照）、色の見えの属性値Ｄ２（色相ｈ、明度Ｊ、彩度Ｃ）（３ＤＬＵＴ用パッチ画像）を得ると共に、こうして得られた見えの属性値Ｄ２を、再現画像観察条件を用いて逆変換して（逆変換ユニット２２ｂ参照）、見えの忠実再現補正がなされた変換画像の測色値Ｄ３（出力用画像の三刺激値（Ｘ’Ｙ’Ｚ’））（３ＤＬＵＴ用パッチ画像）を得るためのものである。
見えの忠実再現変換ユニット２２（２２ａ，２２ｂ）は、本発明では、ＣＩＥＣＡＭ０２（国際照明委員会("Commission Internationale de l'Eclairage")の２００２年の色の見えモデル（CIECAM02 Color Appearance Model；IS＆T/SID 10th Color Imaging Conference 予稿集pp.23-27参照））に基づいて構成されたものであり、色順応補正を行う色順応変換部２６（２６ａ，２６ｂ）と、コントラスト補正を行う非線形信号変換部２８（２８ａ，２８ｂ）と、彩度補正を行う色属性（色知覚属性）変換部３０（３０ａ，３０ｂ）とを有する。
なお、ＣＩＥＣＡＭ０２では、見えの属性値として、マンセル表色系のＨＶＣにそれぞれ相当する色相ｈ、明度Ｊおよび彩度Ｃの他、絶対的な明るさ、すなわち人が感じる明るさの絶対的な感覚量を表す指標であるブライトネスＱおよび人が感じる鮮やかさの絶対的な感覚量を表す指標であるカラフルネスＭの５種があるが、本実施態様では、色相ｈ、明度Ｊおよび彩度Ｃを対象とする。
【００３４】
ここで、色順応変換部２６（２６ａ，２６ｂ）は、透過画像観察条件取得ユニット１８で取得された照明光源の色度情報（色度値）および照度情報（絶対照度値）から透過被写体画像の変換測色値Ｄ６に対して色順応補正を行うものであり、再現画像観察条件取得ユニット２０で取得された再現画像観察条件下で再現される測色値を得るものである。ここで、色順応変換部２６は、具体的には、例えば、順変換（２６ａ参照）においては、透過画像の観察時の透過被写体画像の絶対照度値から透過被写体画像の照明色に対する順応度（Ｄ）を算出し、逆変換時（２６ｂ参照）に透過被写体画像の見えをプリントなどの再現画像の観察時の照明下で再現するための対応色の測色値を算出する。
なお、図示例では、色順応変換部２６は、ＣＩＥＣＡＭ０２によって推奨されるものを用いているが、本発明はこれに限定されず、色順応変換として提案されているものであれば、様々な手法を行うもののいずれも採用することができる。
【００３５】
次に、非線形信号変換部２８（２８ａ，２８ｂ）は、透過画像観察条件取得ユニット１８で取得された照明光源の照度情報（絶対照度値）から透過被写体画像の測色値Ｄ６に対してコントラスト補正を行い、再現画像観察条件取得ユニット２０で取得された再現画像観察条件下で再現される測色値を得るものである。
ここで、非線形信号変換部２８は、具体的には、例えば、順変換（２８ａ参照）においては、透過画像観察時の照明の絶対照度値と再現画像観察時の照明の絶対照度値とから、コントラスト変換特性を算出し、色順応変換部２６で色順応補正された対応色の測色値に対してコントラスト変換を施す。
【００３６】
なお、図示例では、非線形信号変換部２８は、ＣＩＥＣＡＭ０２によって推奨されるものを用いているが、本発明はこれに限定されず、コントラスト変換として提案されているものであれば、様々な手法を行うもののいずれも採用することができる。
こうして、見えの忠実再現変換ユニット２２において、見えの忠実再現補正が施された透過被写体画像、すなわち変換画像の測色値Ｄ３を得ることができ、この変換画像の測色値Ｄ３は、フレア補正部２４（図２参照）に入力される。
【００３７】
ところで、図示例では、見えの忠実再現変換ユニット２２を、見えの忠実再現順変換ユニット２２ａと見えの忠実再現逆変換ユニット２２ｂとで構成し、見えの忠実再現順変換ユニット２２ａを色順応変換部２６ａ、非線形信号変換部２８ａおよび色属性変換部３０ａで構成し、見えの忠実再現逆変換ユニット２２ｂを色属性変換部３０ｂ、非線形信号変換部２８ａおよび色順応変換部２６ｂで構成している。そして、順変換時には、色順応変換部２６ａ、非線形信号変換部２８ａおよび色属性変換部３０ａにおいて、それぞれ順に透過画像観察条件による色順応変換、非線形信号変換（コントラスト変換）および色属性変換（彩度変換）を行い、見えの属性値Ｄ２（色相ｈ、明度Ｊ、彩度Ｃ）を算出し、逆変換時には、算出された見えの属性値Ｄ２（色相ｈ、明度Ｊ、彩度Ｃ）に対して、各変換部３０ｂ、２８ｂおよび２６ｂにおいてそれぞれ順に再現画像観察条件による色属性変換（彩度変換）、非線形信号変換（コントラスト変換）および色順応変換を行い、変換画像の測色値Ｄ３を算出している。
【００３８】
しかし、本発明はこれに限定されず、順変換時も逆変換時も同じ、見えの忠実再現変換ユニット２２を用いても良い。すなわち、見えの忠実再現変換ユニット２２を、それぞれ１つの変換部２６、２８および３０で構成し、順変換でも逆変換も同じ変換部２６、２８および３０を使い、順変換時には、色順応変換、非線形信号変換（コントラスト変換）および色属性変換（彩度変換）を行い、逆変換時には、それぞれ逆順に色属性変換（彩度変換）、非線形信号変換（コントラスト変換）および色順応変換を行っても良いし、１つの変換部２６、２８および３０の各々において、透過画像観察条件による順変換および再現画像観察条件による逆変換を行っても良い。
【００３９】
次に、見えの忠実再現処理ユニット３２の前段において前処理を行う好ましい色再現処理ユニット３４について説明する。
図４は、好ましい色再現処理ユニットの一実施形態のブロック図である。好ましい色再現処理ユニット３４は、後段での見えの忠実再現処理ユニット３２での処理が、忠実再現に加え、好ましい色再現になるように、予め透過被写体画像上の各点の測色値Ｄ１に、所定の順応度変換、コントラストおよび／または彩度変換を行っておくものである。
【００４０】
図４に示すように、好ましい色再現処理ユニット３４は、画像入力ユニット１１から入力された透過被写体画像の測色値Ｄ１（透過被写体画像の色の三刺激値（ＸＹＺ））を見えの属性値Ｄ５（色相ｈ、明度Ｊ、カラフルネスＭ）（３ＤＬＵＴ用パッチ画像）に変換する色の見え順変換ユニット３６ａおよび入力された見えの属性値Ｄ５を変換された透過被写体画像の測色値Ｄ６（透過被写体画像の変換三刺激値（ＸaＹaＺa））（３ＤＬＵＴ用パッチ画像）に変換する色の見え逆変換ユニット３６ｂからなるコントラスト・彩度変換ユニット３６と、色の見え順変換ユニット３６ａで用いる透過画像観察条件を設定する透過画像観察条件設定ユニット３８ａと、色の見え逆変換ユニット３６ｂで用いる透過画像観察条件を設定する透過画像観察条件設定ユニット３８ｂとを有する。なお、この他、好ましい色再現処理ユニット３４においても、見えの忠実再現処理ユニット３２と同様に、透過画像観察条件を取得する透過画像観察条件取得ユニット１８と、再現画像観察条件を設定する再現画像観察条件取得ユニット２０とを備えていても良いが、見えの忠実再現処理ユニット３２から透過画像観察条件取得ユニット１８で取得した透過画像観察条件および再現画像観察条件取得ユニット２０で設定した再現画像観察条件を取得するようにするのが好ましい。
【００４１】
ここで、図４に示すコントラスト・彩度変換ユニット３６の色の見え順変換ユニット３６ａおよび色の見え逆変換ユニット３６ｂは、それぞれ、基本的に、見えの忠実再現変換ユニット２２の見えの忠実再現順変換ユニット２２ａおよび見えの忠実再現逆変換ユニット２２ｂと同様の構成であり、透過画像観察条件設定ユニット３８ａおよび３８ｂは、基本的に、透過画像観察条件取得ユニット１８と同様の構成であるので、その詳細な説明は省略するが、個々のユニットの機能について説明する。
【００４２】
透過画像観察条件設定ユニット３８ａおよび３８ｂは、透過画像観察条件取得ユニット１８と異なり、実際の透過被写体画像の透過画像観察条件を取得するのではなく、それぞれ、後段で行う見えの忠実再現変換ユニット２２の各ユニット２２ａおよび２２ｂでの処理結果が忠実再現に加え好ましい色再現となるように、透過画像観察条件を設定するものである。一方、コントラスト・彩度変換ユニット３６の色の見え順変換ユニット３６ａおよび色の見え逆変換ユニット３６ｂは、見えの忠実再現変換ユニット２２の各ユニット２２ａおよび２２ｂと同様の構成を、透過画像観察条件取得ユニット１８によって求められる透過被写体画像の観察照明条件および再現画像観察条件取得ユニット２０によって求められる再現画像の観察照明条件での、見えの忠実再現変換に用いるのではなく、後段で見えの忠実再現変換を行っても、好ましい色再現となるように、透過画像観察条件設定ユニット３８ａおよび３８ｂによってそれぞれ設定された所定の透過画像観察条件での、見えの変換に用いるものである。
【００４３】
なお、色の見え順変換ユニット３６ａの色の見え変換において、被写体輝度値（輝度比）を実際の値の１０〜１００倍に変化させることにより、また、彩度Ｃの値を１．００〜１．２０倍に変化させることにより、後述する複数の色変換テーブルを作成するために、強度パラメータとしての輝度比および彩度Ｃの値の異なる複数種類の属性値Ｄ５（３ＤＬＵＴ用パッチ画像）を得ることができ、色の見え逆変換ユニット３６ｂにおいて逆変換を行って、好ましい色再現変換がなされた透過被写体画像の測色値Ｄ６（３ＤＬＵＴ用パッチ画像）を得ることができる。
なお、この実施形態では、彩度Ｃの値を、好ましい色再現処理ユニット３４の色の見え順変換ユニット３６ａにおいて変化させているが、本発明はこれに限定されず、図３に示す後段の見えの忠実再現処理ユニット３２の見えの忠実再現順変換ユニット２２ａにおいて変化させても良い。すなわち、見えの忠実再現順変換ユニット２２ａにおいて、彩度Ｃの値を１．００〜１．２０倍に変化させることにより、後述する複数の色変換テーブルを作成するために、強度パラメータとしての彩度Ｃの値の異なる複数種類の属性値Ｄ２（３ＤＬＵＴ用パッチ画像）を得るようにしても良い。
【００４４】
こうして、図４に示す好ましい色再現処理ユニット３４において好ましい色再現変換がなされた透過被写体画像の測色値Ｄ６（透過被写体画像の変換三刺激値（ＸaＹaＺa））は、図２に示すように、見えの忠実再現処理ユニット３２に入力され、上述したように、図３に示す見えの忠実再現処理ユニット３２において見えの忠実再現処理が行われ、変換画像の測色値Ｄ３に変換され、図２に示すフレア補正部２４に入力される。
【００４５】
フレア補正部２４は、図２に示すように、色順応補正およびコントラスト補正が行われた透過被写体画像の測色値、すなわち変換画像の測色値Ｄ３に対して再現画像の観察環境に応じたフレア量を補正して、再現画像（ハードコピー画像（プリント））として出力するための透過被写体画像の測色値Ｄ４（再現画像の三刺激値（ＸＹＺ））を求めるものである。ここで、フレア補正部２４は、具体的には、例えば再現画像の観察時の周囲状況からフレアによる濃度低下の程度を算出し、見えの忠実再現処理ユニット３２で求められた変換画像の測色値Ｄ３に対して、フレアによる濃度低下分を補うように濃度補正を施す。なお、フレア補正部２４は変換テーブルとして設定されていても良い。
こうして、好ましい色再現処理ユニット３４および見えの忠実再現処理ユニット３２において、透過被写体画像の見えが忠実に再現されるとともに、好ましい色再現がなされた透過被写体画像、すなわち再現画像の測色値Ｄ４（三刺激値（ＸＹＺ））を得ることができる。こうして得られた再現画像の測色値Ｄ４は、画像出力ユニット１４において、プリント画像などの再現画像として出力されるべき画像データ、すなわちプリント出力用デジタル画像データＤ７、例えばＲＧＢデータに変換される。
なお、本発明においては、フレア補正部２４は、変換画像の測色値Ｄ３をフレア補正して、プリンタに入力すべき画像信号となるプリント出力用デジタル画像データＤ７を直接得るようにしても良く、そのための変換テーブルとして設定しておいても良い。
【００４６】
３ＤＬＵＴ生成部２５は、カラーリバーサルフィルムＦの透過被写体画像の測色値Ｄ１と、プリント出力用デジタル画像データＤ７と、測色値Ｄ５および測色値Ｄ６（３ＤＬＵＴ用パッチ画像）と、測色値Ｄ５および測色値Ｄ３（３ＤＬＵＴ用パッチ画像）と、測色値Ｄ４またはフレア補正部２４の補正テーブルとを用いて、設定された強調パラメータ（輝度比および彩度Ｃの組み合わせ）毎に３次元色変換テーブルを３ＤＬＵＴ（３次元ルックアップテーブル）として生成するためのものである。ここでは、輝度比（強調パラメータ１）および彩度Ｃ（強調パラメータ２）の１つの組み合わせに対して得られる測色値Ｄ５および測色値Ｄ６の３ＤＬＵＴ用パッチ画像と、測色値Ｄ５および測色値Ｄ３の３ＤＬＵＴ用パッチ画像とを３ＤＬＵＴの構成要素として用いて編集することにより、測色値Ｄ１から画像データＤ７に変換する色変換テーブルを生成する。
こうして、色変換テーブル作成部１２ａの３ＤＬＵＴ生成部２５において、輝度比（強調パラメータ１）および彩度Ｃ（強調パラメータ２）の複数の組み合わせ毎に、複数の色変換テーブルが生成される。
【００４７】
なお、本発明においては、色変換テーブルの生成方法は、特に制限的ではなく、上述の方法のほか、上述した各測色値やその３ＤＬＵＴ用パッチ画像や画像データを用いて、好ましい色再現処理ユニット３４のコントラスト・彩度変換ユニット３６の順変換および逆変換、見えの忠実再現処理ユニット３２の見えの忠実再現変換ユニット２２の順変換および逆変換、ならびにフレア補正のそれぞれにおいて、３ＤＬＵＴを作成し、各３ＤＬＵＴを１つの３ＤＬＵＴとして生成しても良いし、また、好ましい色再現処理ユニット３４（コントラスト・彩度変換ユニット３６）で用いる見えの変換式、見えの忠実再現処理ユニット３２（見えの忠実再現変換ユニット２２）で用いる見えの変換式およびフレア補正式（後述する式（３）参照）を用いて生成しても良いし、また、従来公知の３ＤＬＵＴの生成方法を適用しても良い。
【００４８】
図１に示すように、色変換テーブル作成部１２ａにおいて生成された複数の色変換テーブルは、色変換テーブル格納部１２ｂに格納される。
色変換テーブル格納部１２ｂは、メモリやデータベースとして構成され、色変換テーブル作成部１２ａにおいて生成された複数の色変換テーブルを輝度比（強調パラメータ１）および彩度Ｃ（強調パラメータ２）の個々の組み合わせに対応させて格納する。
【００４９】
画像特徴量算出部１２ｃは、画像入力ユニット１１で得られたカラーリバーサルフィルムＦの透過被写体画像の測色値Ｄ１から画像特徴量を算出する。ここで算出される画像特徴量は、カラーリバーサルフィルムＦの透過被写体画像を、見えの好ましい色再現および忠実再現がなされるように色変換するための適切な色変換テーブルを選択するための強調パラメータ（輝度比および彩度Ｃ）を決めるためのものである。ここで算出される画像特徴量としては、例えば、明度Ｌおよび彩度Ｃ、平均明度Ｌａｖｅおよび平均彩度Ｃａｖｅなどを用いることができる。
なお、本発明において色変換テーブルの選択に用いられる画像特徴量としては、見えの一致の画像再現の対象となるカラーリバーサルフィルムＦの透過被写体画像に対して、適切な色変換テーブルを選択するための強調パラメータ（輝度比および彩度Ｃ）を決めることができるものであれば、どのような画像特徴量でも良い。
【００５０】
色変換テーブル選択部１２ｄは、カラーリバーサルフィルムＦの透過被写体画像に応じて、すなわち画像特徴量算出部１２ｃで算出された画像特徴量（平均明度、平均彩度）に応じた強調パラメータ（輝度比および彩度Ｃの組み合わせ）を持つ、見えの変換に適切な色変換テーブルを、色変換テーブル格納部１２ｂに格納された複数の色変換テーブルから選択する。
変換処理部１２ｅは、色変換テーブル選択部１２ｄによって、カラーリバーサルフィルムＦの透過被写体画像に応じて選択された見えの変換に適切な色変換テーブルを用いて、
カラーリバーサルフィルムＦの透過被写体画像の測色値Ｄ１からプリンタに入力すべき画像信号（プリント出力用デジタル画像データＤ７）を得るための見えの変換処理を行う。
変換処理部１２ｅは、色変換テーブル作成部１２ａにおいて行われる見えの変換、すなわち、見えの好ましい色再現処理ユニット３４による見えの好ましい色再現、見えの忠実再現処理ユニット３２による見えの忠実再現およびフレア補正部２４によるフレア補正と、測色値Ｄ４からプリンタに入力すべきプリント出力用デジタル画像データＤ７への信号変換までを１つの色変換テーブルで行うものである。
こうして画像処理ユニット１２の変換処理部１２ｅで得られたプリンタに入力すべき画像データＤ７は、見えの忠実再現に加え、見えの好ましい再現も加えられたプリント画像を出力可能なものである。
【００５１】
こうして、画像処理ユニット１２において、透過被写体画像の見えを忠実に再現できるとともに、好ましい色再現がなされた透過被写体画像、すなわち再現画像の画像データ（プリント出力用デジタル画像データＤ７）を得ることができる。こうして得られた再現画像の画像データＤ７は、画像出力ユニット１４に入力される。
【００５２】
画像出力ユニット１４は、画像処理ユニット１２で好ましい色再現処理および見えの忠実再現補正処理が施され、最終的に得られた再現すべき画像の画像データＤ７が、ハードコピー画像（プリント）などの目視用再現画像上に再現されるように、写真プリントなどの再現画像を作成して、出力する。
こうして出力された再現画像は、被写体の見えがそのまま忠実に再現されているとともに好ましい色再現がなされた写真プリントなどのハードコピー画像である。すなわち、このようにして得られた再現画像は、見えの忠実再現のみならず、好ましい色再現がなされたものであり、人間にとって自然に感じられる画像である。
【００５３】
なお、画像出力ユニット１４は、写真プリントなどのハードコピー画像に代えて、あるいはハードコピー画像に加えてモニタなどに表示されるソフトコピー画像などの目視用再現画像を出力するものであっても良い。
本発明の第２の態様の画像処理装置および第３の態様の画像形成装置は、基本的に以上のように構成される。
【００５４】
次に、本発明の第２の態様の画像処理装置および第３の態様の画像形成装置の作用ならびに第１の態様の画像処理方法について説明する。
本発明においては、予め、図１に示す画像形成装置１０の画像処理ユニット１２の色変換テーブル作成部１２ａで複数の色変換テーブルを作成して、色変換テーブル格納部１２ｂに格納しておく。次に、色変換テーブル選択部１２ｄにおいて、画像特徴量算出部１２ｃで算出されたリバーサルフィルムの透過画像の画像特徴量に応じた色変換テーブルを色変換テーブル格納部１２ｂから選択し、変換処理部１２ｅにおいて選択された色変換テーブルを用いて、リバーサルフィルムの透過画像の画像データ（測色値Ｄ１）に色変換を行い、好適プリントとして再現するのに適した画像データ（デジタル画像データＤ７）を得る。なお、透過画像観察条件および再現画像観察条件が変わらない限り、作り直す必要はないので、一度作成しておけば良い。
以下に、具体的に説明する。
【００５５】
１）上述したように、図１に示す画像形成装置１０において、まず、画像入力ユニット１１によって、カラーリバーサルフィルムの透過被写体画像が撮像され、これがデジタル化され、透過被写体画像上の各点の測色値Ｄ１（透過被写体画像の三刺激値（ＸＹＺ））が算出される。
２）また、画像処理ユニット１２の色変換テーブル作成部１２ａの透過画像観察条件取得ユニット１８（図３参照）によって、予め、透過画像観察条件データ、すなわち透過被写体画像が観察される際に透過被写体画像を照明している照明光の絶対照度値等の照度情報と色度値等の色度情報とが測定され、記録されている。
３）さらに、再現画像観察条件取得ユニット２０（図３参照）によって、予め、プリント画像（再現画像）観察条件データ、すなわちプリント等の再現画像を観察する際の照明の絶対照度値等の照度情報と色度値等の色度情報とが設定されている。
【００５６】
４）図２に示す画像処理ユニット１２の色変換テーブル作成部１２ａの好ましい色再現処理ユニット３４および見えの忠実再現処理ユニット３２で、色の見えの変換式を用いた色変換を行う。
画像入力ユニット１１において算出された、透過被写体画像上の各点の測色値Ｄ１（透過被写体画像の三刺激値（ＸＹＺ））が、画像処理ユニット１２の色変換テーブル作成部１２ａの好ましい色再現処理ユニット３４に入力される。
図４に示す好ましい色再現処理ユニット３４においては、透過被写体画像上の各点の測色値Ｄ１が、コントラスト・彩度変換ユニット３６に入力される。
ここで、コントラスト・彩度変換ユニット３６の見え順変換ユニット３６ａでは、透過画像観察条件設定ユニット３８ａによって設定された透過画像観察条件に基づく色の見えの変換式を用いて、コントラスト変換、彩度変換を行い、見えの属性値Ｄ５として、明度Ｊ、色相ｈおよびカラフルネスＭの値を求める。この際、観察者は、照明色に対して、透過画像観察条件取得ユニット１８によって得られる透過画像観察条件で定まる順応輝度より高い順応輝度に設定されたときの順応度（Ｄa）で順応する、好ましくは、ほぼ、もしくは完全に順応する（Ｄ＝１）と仮定して、見え順変換ユニット３６ａの色順応変換部４０ａによる色順応変換を行い、また、コントラストおよびカラフルネスＭは、透過原稿画像観察時の輝度が５〜１５０倍、好ましくは１０〜１００倍程度に相当する変化量（強調パラメータ１）として、それぞれ非線形信号変換部４２ａによるコントラスト変換、色属性変換部４４ａによる彩度変換を行う。また、彩度Ｃの値を１．００〜１．２０倍の値にする（強調パラメータ２）。
なお、ここでは、見え順変換ユニット３６ａおよび見え順変換ユニット３６ｂにおける色の見えの変換式は、ＩＳ＆Ｔ/ＳＩＤ 10th Ｃolor Ｉmaging Ｃonference 予稿集pp.23-27「ＣＩＥＣＡＭ０２色の見えモデル」に記載されているものを用いる。
【００５７】
すなわち、
１．色順応変換部４０ａによる色順応変換では、順応度ＤをＤa（透過画像観察条件で定まる順応輝度より高い順応輝度に設定されたときの順応度；後述する式（１）で計算する）、最も好ましくは、Ｄa＝１とし、
２．非線形信号変換部４２ａによるコントラスト変換（非線形応答変換）では、パラメータＦLの値（後述する式（２））を透過画像観察条件で定まる順応輝度より高い順応輝度の輝度値ＬAで計算し、
３．色属性変換部４４ａによる彩度変換（色知覚属性計算）では、カラフルネスＭの計算（後述する式（３））に用いる透過被写体画像の輝度値ＬAを、透過画像観察条件で定まる順応輝度より高い順応輝度の輝度値、ここでは、実際の透過被写体画像の輝度値の５倍から１５０倍、概略１０倍から１００倍にする（強調パラメータ１）。
以上の手順で、明度Ｊ、色相ｈ、カラフルネスＭの値を求める。
また、彩度Ｃの値を１．００〜１．２０倍変化させる（強調パラメータ２）。
このように、これらの変換操作を強調パラメータ１（輝度比）および強調パラメータ２（彩度Ｃ）の組み合わせで行い、複数の色変換パスを得ることができる。
【００５８】
なお、ここでは、リバーサルフィルムの透過画像の写真プリント画像への好ましい色再現および見えの忠実再現を得る強調パラメータとして、輝度比および彩度Ｃを用いているが、本発明は、これらに限定されず、輝度比および彩度Ｃの一方でも良いし、輝度比および彩度Ｃの少なくとも一方の代わりに、もしくはこれらに加えて、コントラストおよびカラフルネスＭの一方、または両方を用いても良い。
【００５９】
ここで、順応度Ｄ、パラメータＦLおよびカラフルネスＭは、ＩＳ＆Ｔ/ＳＩＤ 10th Ｃolor Ｉmaging Ｃonference 予稿集pp.23-27「ＣＩＥＣＡＭ０２色の見えモデル」に従って、下記式（１）、（２）および（３）で与えられるものとする。なお、色相ｈ、明度Ｊ、彩度Ｃ、カラフルネスＭ、ブライトネスＱも、順応度ＤおよびパラメータＦLと同様に、ＩＳ＆Ｔ/ＳＩＤ 10th Ｃolor Ｉmaging Ｃonference 予稿集pp.23-27「ＣＩＥＣＡＭ０２色の見えモデル」に従って与えられるものであるが、ＩＳ＆Ｔ/ＳＩＤ 10th Ｃolor Ｉmaging Ｃonference 予稿集pp.23-27「ＣＩＥＣＡＭ０２色の見えモデル」に詳細に記載されているので、その記載を省略する。
なお、コントラストに関連するものとしては、下記式（２）に示されるように、輝度値ＬAの変化に対して、パラメータＦLの値は、単調増加する。また、カラフルネス（彩度知覚）に関連するものとしては、下記式（３）に示されるように、カラフルネスＭは、パラメータＦLの（１／４）乗に比例しているので、これらの関係からも、仮想的に、より高い輝度値ＬAを設定すると、カラフルネスＭが向上して、鮮やかな印象が得られることがわかる。
【００６０】
【数１】
2006080907.tif 000003
【００６１】
５）次に、こうして見え順変換ユニット３６ａで得られた見えの属性値Ｄ５（明度Ｊ、色相ｈおよびカラフルネスＭの値）から、色の見え変換を色の見え逆変換ユニット３６ｂにおいて逆変換として利用し、再び、透過被写体画像の三刺激値に相当する画像値である透過被写体画像の測色値Ｄ６（被写体の変換三刺激値（ＸaＹaＺa））を求める。
この際に、透過画像観察条件取得ユニット３８ｂによって設定される観察条件パラメータとしては、順応度Ｄとして見え順変換ユニット３６ａで用いた順応度Ｄaを用いる以外は、透過画像観察条件取得ユニット１８によって得られる透過画像観察条件そのものを用いる。
従って、具体的には、見え逆変換ユニット３６ｂにおいては、実際の観察される透過被写体画像の輝度値を用いて色属性変換部４４ｂによる彩度変換および非線形信号変換部４２ｂによるコントラスト変換を行い、順応度Ｄを前述のＤaに設定して、色順応変換部４０ａによる色順応変換を行う。
こうすることで、透過被写体画像が仮想的に観察環境下でのコントラストを持ち、また、彩度が所定量アップしたデータとなる。
このようなコントラスト・彩度変換は、人間の明るさ変化を伴うコントラスト・彩度変化の感覚を模したものであり、人間にとって自然に感じられる好ましい色再現を実現するコントラスト・彩度変換手法であるといえる。
【００６２】
６）図４に示す好ましい色再現処理ユニット３４では、コントラスト・彩度変換ユニット３６において、好ましい色再現変換がなされた透過被写体画像の測色値Ｄ６（透過被写体画像の変換三刺激値（ＸaＹaＺa））が得られ、図２に示すように、見えの忠実再現処理ユニット３２に入力される。
見えの忠実再現処理ユニット３２に入力された透過被写体画像の測色値Ｄ６は、上述したように、図３に示す見えの忠実再現処理ユニット３２の見えの忠実再現変換ユニット２２に入力される。
【００６３】
見えの忠実再現変換ユニット２２（見えの忠実再現順変換ユニット２２ａおよび逆変換ユニット２２ｂ）においては、まず、透過画像の観察時の透過被写体画像の絶対照度値から透過被写体画像の照明色に対する順応度（Ｄ）を算出し、透過被写体画像の見えをプリントなどの再現画像の観察時の照明下で再現するための対応色の測色値を算出する色順応変換を行う（色順応変換部２６（２６ａおよび２６ｂ）参照）。
次に、透過画像観察時の照明の絶対照度値と再現画像（プリント画像）観察時の照明の絶対照度値とから、コントラスト変換特性を算出し、色順応変換部２６で色順応補正された対応色の測色値に対してコントラスト変換を施す（非線形信号変換部２８（２８ａおよび２８ｂ）参照）。
こうして、見えの忠実再現処理ユニット３２では、透過被写体画像の測色値Ｄ６から、見えの忠実再現補正が施された変換画像の測色値Ｄ３を得ることができる。
図２に示すように、こうして得られた変換画像の測色値Ｄ３は、忠実再現処理ユニット３２からフレア補正部２４に入力される。
【００６４】
７）図２に示すフレア補正部２４では、再現画像（プリント画像）の観察時の周囲状況からフレアによる濃度低下の程度を算出し、見えの忠実再現処理ユニット３２で求められた変換画像の測色値Ｄ３に対して、フレアによる濃度低下分を補うように濃度補正を施して、透過被写体画像の見えを忠実に再現できるとともに、見えの好ましい色再現がなされた透過被写体画像、すなわち再現画像の測色値Ｄ４（三刺激値（ＸＹＺ））を得ることができる。
こうして得られた再現画像の測色値Ｄ４は、色変換テーブル作成部１２ａでプリンタに入力すべきデジタル画像データＤ７に信号変換される。
【００６５】
８）色変換テーブル作成部１２ａでは、上述したように、上記の４）〜７）の見えの色変換操作を、強調パラメータ１（輝度比）および強調パラメータ２（彩度Ｃ）の複数の組み合わせで行い、複数の色変換パスを得ることができるので、３ＤＬＵＴ構成要素のパッチ画像を変換対象とし、変換後、３ＤＬＵＴとして編集することで、明度（平均明度）および彩度（平均彩度）を強調パラメータとする複数の色変換テーブル（３ＤＬＵＴ）を得ることができる。すなわち、３ＤＬＵＴの構成用パッチ画像をカラーリバーサルフィルム上に作成しておいて、それらのパッチ画像の画像データを得、得られた画像データを、色変換パスを通すことにより、仮想的に所定の見えに対する画像データを作成し、作成された画像データを３次元テーブル形式にすることにより、１つの強調パラメータの組み合わせに対して、３ＤＬＵＴを生成することができる。従って、透過オリジナル画像データに３ＤＬＵＴのカラーパッチを入力することにより、強調パラメータが異なる３ＤＬＵＴを複数作成することができる。このように、この３ＤＬＵＴの生成を強調パラメータの組み合わせをパラメトリックに変えて行い、強調パラメータの組み合わせ毎に３ＤＬＵＴを生成することができる。
こうして、カラーリバーサルフィルムの透過画像の測色値Ｄ１をプリンタに入力すべきデジタル画像データＤ７に変換するための見えの再現のための色変換を行う複数の色変換テーブルが得られる。なお、色変換テーブル作成部１２ａでは、一度、これらの複数の色変換テーブルを作成しておけば良い。
こうして、色変換テーブル作成部１２ａで得られた複数の色変換テーブルは、色変換テーブル格納部１２ｂに格納される。
【００６６】
９）上記の１）で画像入力ユニット１１によって得られた透過被写体画像（測色値Ｄ１）から、画像特徴量算出部１２ｃで画像特徴量を抽出する。ここでは、透過原稿画像の観察下での測色値（Ｌ＊ａ＊ｂ＊）を求め、平均明度Ｌおよび平均彩度Ｃを透過原稿画像毎に求めて、画像特徴量とする。
１０）上記の８）で色変換テーブル作成部１２ａにおいて作成された複数の色変換テーブルの中から、上記の８）で画像特徴量算出部１２ｃにおいて抽出された画像特徴量に応じて、色変換テーブル選択部１２ｂで適切な色変換テーブルを選択する。
１１）色変換テーブル選択部１２ｂで選択された色変換テーブルを用いて、上記の１）で画像入力ユニット１１によって得られた透過被写体画像の測色値Ｄ１を、画像処理ユニット１２の変換処理部１２ｅで色変換して、透過被写体画像の見えを忠実に再現できるとともに、見えの好ましい色再現がなされた再現画像の、プリンタに入力すべきデジタル画像データＤ７を得ることができる。
こうして、画像処理ユニット１２において得られた、プリンタに入力すべきデジタル画像データＤ７は、画像出力ユニット１４に入力される。
【００６７】
１２）画像出力ユニット１４では、入力された、画像処理ユニット１２で最終的に得られた再現すべき画像のデジタル画像データＤ７を用いて、ハードコピー画像（プリント画像）などの目視用再現画像上に再現されるように、写真プリントなどの再現画像を作製して、出力する。
こうして出力された再現画像は、被写体の見えがそのまま忠実に再現されているとともに好ましい色再現がなされた写真プリントなどのハードコピー画像である。すなわち、このようにして得られた再現画像は、見えの忠実再現のみならず、好ましい色再現がなされたものであり、人間にとって自然に感じられる画像である。
【００６８】
なお、上述した例では、彩度Ｃ（強調パラメータ２）の値を、図４に示す好ましい色再現処理ユニット３４のコントラスト・彩度変換ユニット３６の色の見え順変換ユニット３６ａにおいて変化させているが、本発明はこれに限定されず、図３に示す見えの忠実再現処理ユニット３２の見えの忠実再現変換ユニット２２の見えの忠実再現順変換ユニット２２ａにおいて変化させても良い。すなわち、再現順変換ユニット２２ａにおいても、彩度Ｃ（強調パラメータ２）の値を１．００〜１．２０倍に変化させて、これらの変換操作を行い、複数の色変換パスを得るようにしても良い。
【００６９】
以下に、本発明の第１の態様の画像処理方法、第２の態様の画像処理装置および第３の態様の画像形成装置を実施例を挙げて具体的に説明する。
【００７０】
〔実施例１〕
以下、本発明の第１の態様に係る画像処理方法により算出したＲ，Ｇ，Ｂ信号を本発明の第３の態様の画像形成装置としてのカラーデジタルプリンタに入力して再現画像として好ましい彩度変換（コントラスト変換）プリント画像を得る場合について、図５および図６を用いて説明する。
図５および図６は、カラーリバーサルフィルムの透過画像から銀塩写真感光材料を用いる写真プリントとして出力する場合の本実施形態における一連の処理の流れを説明するフローチャートである。
【００７１】
ステップＳ１０１：
富士写真フイルム製カラーリバーサルフィルムＲＰＯＶＩＡ  ｌ００Ｆ  ｐｒｏｆｅｓｓｉｏｎａｌによって撮影された透過画像を、大日本スクリーン製スキャナＳＧ‐１０００により収録してデジタル画像データを濃度値として得た。
【００７２】
ステップＳ１０２：
上記カラーリバーサルフィルムの透過画像を観察するイルミネーター（（株）プロラボクリエイト製クリエイトビュアー、光源としては色温度５０００Ｋの色評価蛍光灯を使用）の発光面をトプコン製ＳＲ−３を用い測定し、分光輝度および輝度のＸＹＺ三刺激値を測定した。また、絶対照度３０００Ｌｕｘの値を得た。
【００７３】
ステップＳ１０３：
上記カラーリバーサルフィルムの透過画像に対して、ＳＰＩＥ  ｖｏｌ．１０７９  ｐｐ９０‐９８に記載されているレーザーカラープリンタを用いてＲＧＢの露光量をそれぞれ変化させた複数のパッチを出力し、上記スキャナＳＧ‐１０００で収録して，感光材料に与えた各露光量と発色濃度の関係を記述したテーブル（１）を作成した。
また、同パッチの分光反射率を東京電色社製ＴＣ‐１８００Ｍにて分光測色した。この分光測色データより、ステップＳ１０２のデータを観察光源の分光分布と考えて，各パッチのＣＩＥ  ＸＹＺ三刺激値を求め、感光材料に与えた各露光量とＣＩＥ  ＸＹＺ三刺激値の関係を記述したテーブル（２）を作成した。
【００７４】
ステップＳ１０４：
ステップＳ１０１で得た濃度のデジタル画像データに対して、ステップＳ１０３で作成したテーブル（１）を適用して画像データの各点に与えられた露光量Ｒ，Ｇ，Ｂを算出した。
【００７５】
ステップＳ１０５：
ステップＳ１０４で求められた露光量Ｒ，Ｇ，Ｂに対して、ステップＳ１０３で作成したテーブル（２）を適用して画像データの各点で観測されるＣＩＥ  ＸＹＺ三刺激値（測色値Ｄ１）を求めた。
【００７６】
ステップＳ１０６：
色温度５０００Ｋの色評価蛍光灯により照度３００Ｌuxで照明された写真プリント観察環境のプリントを置く位置と同じ位置に標準白色板を設置し、色彩輝度計ＣＳ‐１００により三刺激値を測定した。
【００７７】
ステップＳ１０７：
ＩＳ＆Ｔ/ＳＩＤ 10th Ｃolor Ｉmaging Ｃonference 予稿集pp.23-27に記載の式を用いて、透過被写体画像（測色値Ｄ１；三刺激値（ＸＹＺ））に対して彩度変換（コントラスト変換）を施した画像である３次元テーブル用パッチ画像（見えの属性値Ｄ５）を作成した。ここでは、カラーリバーサルフィルムの透過画像観察環境のＸ，Ｙ，Ｚ値からプリント観察環境下で再現すべき三刺激値Ｘ’，Ｙ’，Ｚ’を算出し、また、観察者がカラーリバーサルフィルムの透過画像を照明する光源に完全に順応する（上記式（１）で表される順応度Ｄの値を強制的に１とする）（設定観察条件）として計算を行い、また、コントラスト変換では、カラーリバーサルフィルムの透過オリジナル画像の観察照度値を定数倍（輝度比（強調パラメータ１））に変換させた（ＦＬを計算する際に使用する上記式（２）の順応輝度ＬＡの値を変化させる）ことに相当する値を複数代入し、色相ｈ、明度Ｊ、カラフルネスＭの３つの見えの属性値Ｄ５の値を算出し、彩度Ｃ（強調パラメータ２）のみを定数倍に変化させた画像である３次元（ルックアップ）テーブル（３ＤＬＵＴ）用パッチ画像を一連作製した。
【００７８】
ステップＳ１０８：
次に、ＩＳ＆Ｔ/ＳＩＤ 10th Ｃolor Ｉmaging Ｃonference 予稿集pp.23-27に記載の式を用いて、ステップＳ１０７で算出された色相ｈ、明度Ｊ、カラフルネスＭの３つの見えの属性値Ｄ５からカラーリバーサルフィルムの透過オリジナル画像の照明条件（設定観察条件）を用いて、彩度変換後の透過被写体画像の三刺激値（ＸaＹaＺa）（測色値Ｄ６）で表される画像（３次元テーブル用パッチ画像）を一連算出した。
【００７９】
ステップＳ１０９：
この後、ステップＳ１０８で得られた三刺激値（ＸaＹaＺa）（測色値Ｄ６）の画像を出発として、ＩＳ＆Ｔ/ＳＩＤ 10th Ｃolor Ｉmaging Ｃonference 予稿集pp.23-27に記載の手法により、ステップＳ２で求めた透過画像観察条件を用いて、色順応変換およびコントラスト変換を行い、色相ｈ、明度Ｊ、彩度Ｃの３つの見えの属性値Ｄ２を算出し、一連の画像（３次元テーブル用パッチ画像）を作製した。
【００８０】
ステップＳ１１０：
次に、ＩＳ＆Ｔ/ＳＩＤ 10th Ｃolor Ｉmaging Ｃonference 予稿集pp.23-27に記載の見えの変換式を用いて、ステップＳ１０９で算出された色相ｈ、明度Ｊ、彩度Ｃの３つの見えの属性値Ｄ２から、ステップＳ１０６で求めたプリントを観察する際の観察照明条件を用いて、プリント上に出力すべき変換画像の三刺激値（Ｘ’，Ｙ’，Ｚ’）（測色値Ｄ３）で表される見えの忠実再現処理および好ましい色再現処理がなされた再現画像（３次元テーブル用パッチ画像）を一連算出した。
【００８１】
ステップＳ１１１：
プリント装置として、SPIE vol.1079 pp90‐98に記載されているレーザカラープリンタを使用することとし、予め、Ｒ，Ｇ，Ｂの入力信号をそれぞれ変化させたパッチを富士写真フィルム社製プロフェッショナルカラーペーパ・プロレーザークリスタルＴＹＰＥ  II‐Ｅに出力し、各パッチの分光反射率を東京電色社製ＴＣ‐１８００Ｍにて分光測色した。
【００８２】
ステップＳ１１２：
ステップＳ１１１で測定された分光反射率データＲ（λ）に対して、下記の式（４）によりフレア補正後の分光反射率Ｒ’（λ）を算出した。
【００８３】
【数２】
2006080907.tif 000004
【００８４】
ここで、ｈは、上記分光測色計ＴＣ−１８００Ｍにおけるフレア率であり、ｈ’は、プリント観察環境下におけるフレア率である。
【００８５】
ステップＳ１１３：
ステップＳ１１２で求めたフレア補正後の分光反射率Ｒ’（λ）に対して、プリント観察照明の分光分布を掛け合わせてＸ，Ｙ，Ｚ三刺激値を求め、プリンタの入力信号と、フレア補正後のＸ，Ｙ，Ｚ三刺激値（測色値Ｄ４）の関係を示すテーブルを作成した。
【００８６】
ステップＳ１１４：
図６に示すように、図５に示す以上のステップＳ１０７〜ステップＳ１１３の操作により、輝度比（強調パラメータ１）および彩度Ｃ（強調パラメータ２）の複数の組み合わせの３次元テーブル（３ＤＬＵＴ）生成用パッチ画像を作成した。こうして作成された３次元テーブル（３ＤＬＵＴ）生成用パッチ画像を用いて、輝度比および彩度Ｃが以下の複数の組み合わせである３次元色変換テーブル（３ＤＬＵＴ）を作成した。
ここでは、輝度比：１０，３０，５０，１００、
彩度Ｃ：１．００（０％），１．０５（５％アップ），１．１０（１０％アップ），１．２０（２０％アップ）として、１６個の３次元色変換テーブルを作成した。
【００８７】
ステップＳ１１５：
ステップＳ１０５で求められたＸ，Ｙ，Ｚ三刺激値画像（測色値Ｄ１）からＣＩＥ１９７６にて規定されるＬａｂ色空間への変換を行い、Ｌ＊ａ＊ｂ＊にて表現される画像を作成した。更に、その画像から、画像特徴量として、画像の平均明度（Ｌａｖｅ）および平均彩度（Ｃａｖｅ）を計算により求めた。
【００８８】
ステップＳ１１６：
ステップＳ１１５で求めた平均明度（Ｌａｖｅ）および平均彩度（Ｃａｖｅ）より、ステップＳ１１４で作成した複数の３次元色変換テーブルの中から、色の見えの変換に適当な色変換テーブルを選択した。
本実施例１では、以下に示す回帰式（５）および（６）を選択に用いた。
【００８９】
【数３】
2006080907.tif 000005
ここで、彩度パラメータＣは、彩度Ｃの強調度を％表示したものである。
【００９０】
ここでは、上記回帰式（５）および（６）は、以下のようにして求めた。
カラーリバーサルフィルムに撮影された１０種類のシーンについて、強調パラメータ（輝度比パラメータＲおよび彩度パラメータＣ）の種々の組み合わせに対して、観察環境下の透過画像から見えの再現変換を行って、各シーン毎にそれぞれの組み合わせの複数のプリント画像を出力し、１０名の観察者（いずれも富士写真フイルム社員であり，カラーリバーサルフィルムの設計開発評価業務に携わる者）による官能評価を行って、各シーン毎に得られた複数のプリント画像の中から、各シーン毎に最適な見えの再現が行われた１枚のプリント画像を選び出した。
こうして選び出された各シーンの最適なプリント画像を得た強調パラメータ（輝度比パラメータＲおよび彩度パラメータＣ）の最適値と、各シーンの画像特徴量（平均明度Ｌａｖｅおよび平均彩度Ｃａｖｅ）を求めた。
こうして得られた各シーンの平均明度Ｌａｖｅ、平均彩度Ｃａｖｅ、および輝度比パラメータＲの最適値、彩度パラメータＣの最適値を下記の表１に示す。
【００９１】
表１に示す、人物を除く全シーンの平均明度Ｌａｖｅ、平均彩度Ｃａｖｅ、および輝度比パラメータＲの最適値、彩度パラメータＣの最適値を用いて、輝度比パラメータＲの回帰式（５）および彩度パラメータＣの回帰式（６）を求めた。
こうして得られた回帰式（５）および（６）による各シーンの輝度比パラメータＲの計算値および彩度パラメータＣの計算値を下記の表１に示す。
表１から、各シーンの輝度比パラメータＲおよび彩度パラメータＣの計算値は、それぞれ、輝度比パラメータＲおよび彩度パラメータＣの最適値に近い値であることが分かる。
【００９２】
【表１】
2006080907.tif 000006
【００９３】
これらの式（５）および（６）により求められた輝度比パラメータＲ（強調パラメータ１）および彩度パラメータＣ（強調パラメータ２）から、ステップＳ１１４で作成した、複数の強調パラメータの組み合わせの３次元色変換テーブルの中から、それぞれの強調パラメータに近い強調パラメータの３次元色変換テーブルを、色の見えの変換に適切な色変換テーブルとして選択した。
但し、被写体が人物中心であるものについては、彩度パラメータ０％、輝度パラメータ２０を固定的に使用した。
【００９４】
ステップＳ１１７：
ステップＳ１０５で求められたＸ，Ｙ，Ｚ三刺激値画像（測色値Ｄ１）を、ステップＳ１１６で選択された色変換テーブルを用いて、観察環境下で出力すべきフレア補正後の三刺激値Ｘ，Ｙ，Ｚ（測色値Ｄ４）が変換された、プリンタに入力すべきＲＧＢ信号を算出し、これをプリンタに入力して最終的な出力画像を得た。
【００９５】
ステップＳ１１８：
プリント観察条件下にて得られた出力画像（１１シーン）について１０名の観察者（いずれも富士写真フイルム社員であり、カラーリバーサルフィルムの設計開発評価業務に携わる者）によって好ましさの心理評価を行った結果、全シーンを平均して、輝度比を３０倍、彩度Ｃを２．５％向上させた値の場合に比べ、さらに良好な結果が得られた。
【００９６】
なお、上述した例では、測色値Ｄ１をプリンタに入力すべき画像データＤ７に変換する色変換テーブルは、コントラスト変換、彩度変換、色順応補正、コントラスト補正、フレア補正および画像データＤ７への信号変換の各変換および各補正の全てをまとめて１つの色変換テーブルとするものであるが、本発明はこれに限定されず、例えば、カラーリバーサルフィルムの透過原稿画像の画像データ（例えば、ＲＧＢデータ）Ｄ０から画像データＤ７（例えば、ＲＧＢ信号）を得るために、透過原稿画像の画像データＤ０から測色値Ｄ１への色変換、コントラスト変換、彩度変換、色順応補正、コントラスト補正、フレア補正および画像データＤ７への信号変換の全ての変換や補正をまとめて１つの色変換テーブルとしても良いし、測色値Ｄ１から測色値Ｄ４を得るために、コントラスト変換、彩度変換、色順応補正、コントラスト補正およびフレア補正の全てをまとめて１つの色変換テーブルとしても良いし、上述した各変換や各補正の１つ１つ毎にそれぞれ１つの色変換テーブルを定義しても良いし、いくつかをまとめて１つの色変換テーブルとしても良い。
【００９７】
例えば、本発明の画像処理方法における処理プロセスは、好ましい色再現処理ユニット３４におけるコントラスト変換および彩度変換を有する好ましい見えの再現処理と、見えの忠実再現処理ユニットにおける色順応補正およびコントラスト補正を有する見えの忠実再現処理と、フレア補正部２４におけるフレア補正処理との３つの処理として考えることができる。このため、好ましい見えの再現処理、見えの忠実再現処理およびフレア補正処理の３つの処理を１まとまりの処理をする色変換テーブルとして、複数の強調パラメータ（例えば、複数組の輝度比および彩度）に応じて、それぞれ複数の色変換テーブルを作成しておいて、作成された複数の色変換テーブルの中から、シーンに応じて適切な強調パラメータを持つ１つの色変換テーブルを選択するようにしても良い。
しかしながら、見えの忠実再現処理およびフレア補正処理は、透過画像および写真プリント等の反射画像の観察環境に応じた固定の処理となるのに対し、好ましい見えの再現処理は、複数の強調パラメータにそれぞれ応じた複数の処理となるので、見えの忠実再現処理およびフレア補正処理をする固定の色変換テーブルを作成しておくとともに、好ましい見えの再現処理をする色変換テーブルとして、複数の強調パラメータに応じて、それぞれ複数の色変換テーブルを作成しておき、作成された複数の色変換テーブルの中から、シーンに応じて適切な強調パラメータを持つ色変換テーブルを選択して、選択された色変換テーブルによる処理を行った後に、見えの忠実再現処理およびフレア補正処理をする固定の色変換テーブルによる処理を行うのが好ましい。この場合にも、見えの忠実再現処理およびフレア補正処理をそれぞれ行う固定の色変換テーブルをそれぞれ作成して用いても良いのはもちろんである。
【００９８】
ところで、本発明のさらに好ましい実施形態として、こうして作成した色変換テーブル（色変換プロファイル）に変更を加えることが挙げられる。
これは、
１．本発明の画像処理方法による色変換のマッピングの目標と、システムの色再現域との関係から、
ａ）色が飽和するような現象（高彩度色の明暗コントラストが上手く表現されないケース）、および
ｂ）高彩度域で必要以上にコントラストが発生するケースが生じる可能性があるためである。
２．再現色をさらに好みの方向（色相、彩度、明度）へ再現することを可能にすることで、より好ましい画像再現を達成するためである。
すなわち、上記理由１のようなケースでは、本発明の画像処理方法の色変換のみの場合には、システムの色再現域の制限が原因で、色域外へのマッピングの必要が生じてしまうことがある。従って、本発明においては、システムの色再現域を考慮した色変換を行うことがさらに好ましいからである。
【００９９】
作成した色変換テーブル（色変換プロファイル）に変更を加える方法としては、以下のような方法、すなわち本出願人の出願に係る特開平１１−２０５６２０号公報に開示された色変換テーブル（３次元ルックアップテーブル；３ＤＬＵＴ）の補正法を用いることができる。
この補正法は、色変換テーブルに対し、現状の色と目標色を与え、色変換テーブル（３ＤＬＵＴ）を部分的に変更する方法である。
【０１００】
図７に、本補正法の一例のフローチャートを示す。
まず、高精度３ＤＬＵＴ（Ｍ×Ｍ×Ｍ段）が生成され、メモリに格納されているとする。一方、目的色および所望色は、予め決定され、その濃度が計測され、それぞれ目的色データおよび所望色データとして入力され、メモリに格納され、もしくは、画像処理ユニット１２のＣＰＵなどの作業用メモリ等に保持され、いつでも利用可能であるものとする。
【０１０１】
例えば、目的色としては、ユーザが仕上がりの色を変えたいと思う色であれば、どのような色であってもよく、特に限定されないが、例えば、肌色、青空色、草木色（緑色）などの重要色であってもよい。また、これらの目的色を色変換して仕上げる目標となる所望色は、ユーザの好みや色の見えや色再現の忠実性や観察条件に応じて適宜設定すれば良く、特に制限されない。例えば、本発明法においては、任意の感光材料に再現される肌色を目的色とし、この目的色を目標とする別の感光材料の肌色に合わせるようにしてもよいし、任意の感光材料に再現される青空色を目的色として目標とするカラーチャートの青空色に合わせるようにしてもよい。ここで、目的色としては、カラーチャートを用いる場合には同一色について１点でもよいが、好ましくは、特に別種の感光材料を用いる場合には、同一色について複数の点を求め、その平均値をデータとして用いるのがよい。なお、目的色として複数の色を選択することも可能である。
【０１０２】
次に、３ＤＬＵＴは、メモリから読み出され、３ＤＬＵＴの格子点データと、取得されている目的色データとを用いて、色空間での３ＤＬＵＴの格子点と目的色との距離を、例えば下記式（７）および（８）に従って演算する。格子点と目的色との距離を演算する色空間は、特に制限的ではなく、例えばＬ＊ａ＊ｂ＊空間やＸＹＺ空間などの測色空間でも、ＲＧＢ色空間やＣＭＹ色空間などの濃度空間であってもよい。
【０１０３】
このような色空間における２つの色間の距離は、例えばＬ＊ａ＊ｂ＊空間およびＲＧＢ濃度空間において、以下のように定義される。
・Ｌ＊ａ＊ｂ＊空間の距離
色空間上の２点（Ｌ１、ａ１、ｂ１）と（Ｌ２、ａ２、ｂ２）との距離の定義は、色差の式と同じで下記式（７）で定義される。
ΔＥ＝√｛（Ｌ１−Ｌ２)2＋（ａ１−ａ２)2＋（ｂ１−ｂ２)2｝  ……（７）
・ＲＧＢ濃度空間の距離
濃度の場合も同様に色空間上の２点（Ｄｂ１、Ｄｇ１、Ｄｒ１）と（Ｄｂ２、Ｄｇ２、Ｄｒ２）との距離は、下記式（８）で定義される。
ΔＤ＝√｛(Db1−Db2)2＋(Dg1−Dg2)2＋(Dr1−Dr2)2｝        ……（８）
【０１０４】
こうして演算された距離に応じて目的色を目標となる所望色に変換するのに必要な変換量を算出する。このようにして算出された変換量だけ、対応する格子点データを補正して、補正格子点データを決定し、補正された３ＤＬＵＴ（Ｍ×Ｍ×Ｍ段）を作成することができる。
【０１０５】
この距離に応じた変換量の算出および補正格子点データの決定ならびに補正３ＤＬＵＴの作成を行う簡単な方法としては、色空間上のある目的色の濃度点を目標となる所望色に変換する濃度変更データを中心にして、その周囲の点には中心からの距離に比例して濃度変更データが減少していくように操作すればよい。例えば、データ点からの距離が視覚と対応するように、濃度データを一旦Ｌ＊ａ＊ｂ＊値に変換し、Ｌ＊ａ＊ｂ＊色空間上で上記の操作を行うようにすることができる。
【０１０６】
なお、本発明における色変換テーブルに変更を加える方法は、上述した３ＤＬＵＴの補正法に限定されず、マトリックス変換法やその他の色変換法で色変換テーブルを変更しても良い。また、この色変換の変更を、色変換テーブルそのものを変更すること以外に、これと同様の効果を生じる多段プロセスとして実現しても良い。
【０１０７】
〔実施例３〕
次に、図５および図６に示す本実施形態の画像処理方法を実施して得られた複数の色変換テーブルの中の１つによって、カラーリバーサルフィルムの透過画像からプリント画像への色変換を行ったところ、赤色の再現が飽和気味にて、明暗の描写が乏しい画像再現であった。
表２に示す修正前の現状色と目標色との組み合わせを与え、図７に示す補正法で修正した色変換テーブルを作成した。
【０１０８】
【表２】
2006080907.tif 000007
【０１０９】
なお、表２において、色データのＮｏ．２〜Ｎｏ．１２までが、赤色を示しており、目標色と現状色の差（色差、明度差、ａｂ差）が大きく、変更が望まれるが、その他の色データは、変更されないようにする必要があることがわかる。
【０１１０】
こうして得られた修正色変換テーブルは、表３に示すように、目標色に対して以下の精度で作成できた。
【０１１１】
【表３】
2006080907.tif 000008
【０１１２】
なお、表３において、色データのＮｏ．２〜Ｎｏ．１２までの赤色領域では、目標色と修正後の出力色の差（色差、明度差、ａｂ差）が小さくなり、修正後の出力色が、目標色に近づき、大きく改善された一方、変更が望まれていないその他の色データでも、目標色と修正後の出力色の差（色差、明度差、ａｂ差）は小さいままで、大きくなっておらず、あまり変更されていないことがわかる。
【０１１３】
こうして修正された色変換テーブル（プロファイル）を用いて作成した画像は、修正前の画像に対し、目標の赤色領域（表２の色データのＮｏ．２〜Ｎｏ．１２）でコントラスト感が豊富となり、さらに好ましい画像が得られた。
【０１１４】
以上、本発明の画像処理方法および装置、これを用いる画像形成装置ならびに画像処理方法を実行する画像処理プログラムおよびこれを記録した記録媒体について、種々の実施形態や実施例を挙げて、詳細に説明したが、本発明は、以上の実施形態や実施例に限定されるものではなく、本発明の要旨を逸脱しない範囲において、各種の改良や変更を行ってもよいのはもちろんである。
【０１１５】
例えば、本発明は、画像再現の対象となる被写体画像をモニタ等に表示された透過画像（ソフトコピー画像）とし、透過画像と見えが一致する再現画像をプリント画像（ハードコピー画像）とするものであっても良い。すなわち、透過画像は、リバーサルフィルムの透過画像に限定されず、透過画像を観察する観察照明条件を取得することができれば、どのような透過画像やソフトコピー画像であっても良い。
また、リバーサルフィルムの透過画像を観察するための光源の照度は、リバーサルフィルムの透過画像を観察するビュアーやプロジェクタの性能値から推測することが可能である。
【０１１６】
また、前述の観察環境のフレア率は、通常、モニタまたはプリントの表面で直接反射される光の割合で示される。この値は、プリントを観察する環境の周囲の状況に大きく依存し、周囲が白い壁で覆われているような場合には、フレア率は高くなる。ちなみに、真上からの照明で周囲がグレーの壁で覆われているような環境下におけるプリントのフレア率は約２％であり、観察環境のフレア率が予め予測できない場合には、この値を使用することが好ましい。
さらに、式（４）で表わされるフレア補正は、いわゆる階調変更として実装することが可能であり、通常は、フレア率に対応した複数の補正テーブル（１ＤＬＵＴ）を用意しておくことで対応可能である。
【０１１７】
なお、上述の本発明の第１の態様の画像処理方法は、これをコンピュータ制御により実行させることが可能であり、本発明の技術的範囲は、そのようなコンピュータ制御のためのプログラム、さらにはこのプログラムを記録したコンピュータにより読み取り可能な記録媒体にも及ぶものである。
【図面の簡単な説明】
【０１１８】
【図１】本発明の画像処理装置を備えた本発明の画像形成装置の一実施形態のブロック図である。
【図２】図１に示す画像形成装置の色変換テーブル作成部の一実施形態のブロック図である。
【図３】図２に示す色変換テーブル作成部の見えの忠実再現処理ユニットの一実施形態のブロック図である。
【図４】図２に示す色変換テーブル作成部の好ましい色再現処理ユニットの一実施形態のブロック図である。
【図５】本発明の画像処理方法の一実施形態における処理の流れの一例を説明するフローチャート（その１）である。
【図６】本発明の画像処理方法の一実施形態における処理の流れの一例を説明するフローチャート（その２）である。
【図７】本発明の画像処理方法に用いられる色変換テーブルの補正法の処理の流れの一例を説明するフローチャートである。
【符号の説明】
【０１１９】
１０  画像形成装置
１１  画像入力ユニット
１２  画像処理ユニット
１２ａ  色変換テーブル作成部
１２ｂ  色変換テーブル格納部
１２ｃ  画像特徴量算出部
１２ｄ  色変換テーブル選択部
１２ｅ  変換処理部
１４  画像出力ユニット
１８  透過画像観察条件取得ユニット
２０  再現画像観察条件取得ユニット
２２  見えの忠実再現変換ユニット
２２ａ  見えの忠実再現順変換ユニット
２２ｂ  見えの忠実再現逆変換ユニット
２４  フレア補正部
２６，２６ａ，２６ｂ，４０ａ，４０ｂ  色順応変換部
２８，２８ａ，２８ｂ，４２ａ，４２ｂ  非線形信号変換部
３０，３０ａ，３０ｂ，４４ａ，４４ｂ  色属性変換部
３２  見えの忠実再現処理ユニット
３４  好ましい色再現処理ユニット
３６  コントラスト・彩度変換ユニット
３６ａ  色の見え順変換ユニット
３６ｂ  色の見え逆変換ユニット
３８ａ，３８ｂ  透過画像観察条件設定ユニット
【図１】
2006080907.tif 000009
【図２】
2006080907.tif 000010
【図３】
2006080907.tif 000011
【図４】
2006080907.tif 000012
【図５】
2006080907.tif 000013
【図６】
2006080907.tif 000014
【図７】
2006080907.tif 000015